(57)【要約】【課題】  データーの読出作業における効率化を図る。【解決手段】  記録媒体１００、１００、・・・を収納する収納部１５、１５、・・・を有し筐体２に対して引出可能とされた収納ブロック３と、記録媒体に記録されたデーターを読み出して記憶装置に送出するドライブブロック４と、記録媒体を収納ブロック又はドライブブロックから取り出して取り出した記録媒体を搬送してドライブブロックに装着又は収納ブロックに収納する搬送ブロック５とを設け、収納ブロックに一方に開口された保持用筐体６と保持用筐体に対して装填可能及び取出可能とされた収納ケース８、８、・・・とを設け、データーの読み出しが行われる記録媒体がドライブブロック又は搬送ブロックに保持されている状態において、当該データーの読出が行われる記録媒体が収納される収納ケースの保持用筐体からの取出を規制する規制手段１０、１０、・・・を設けた。【選択図】        図７
2008262658.tif 000002
【特許請求の範囲】
【請求項１】
記録媒体をそれぞれ収納する複数の収納部を有すると共に筐体に対して引出可能とされた収納ブロックと、
記録媒体が装着され該記録媒体に記録されたデーターを読み出して記憶装置に送出するドライブブロックと、
記録媒体を収納ブロック又はドライブブロックから取り出して取り出した記録媒体を搬送してドライブブロックに装着又は収納ブロックに収納する搬送ブロックとを備え、
上記収納ブロックに、少なくとも一方に開口された保持用筐体と、上記複数の収納部をそれぞれ有し保持用筐体に対して装填可能及び取出可能とされ該保持用筐体に装填されたときに所定の方向に配列される複数の収納ケースとを設け、
データーの読み出しが行われる記録媒体がドライブブロック又は搬送ブロックに保持されている状態において、当該データーの読み出しが行われる記録媒体が収納される収納部を有する収納ケースの保持用筐体からの取出を規制する規制手段を設けた
ことを特徴とする記録媒体チェンジャー。
【請求項２】
データーの読み出しが行われる記録媒体がドライブブロック又は搬送ブロックに保持されている状態において警告光の出力が可能とされた光出力手段を設け、
該光出力手段を上記規制手段として用いた
ことを特徴とする請求項１に記載の記録媒体チェンジャー。
【請求項３】
複数の収納部にそれぞれ対応して配置され、少なくとも収納ブロックが筐体から引き出されたときに、記録されたデーターの記憶装置への送出が終了した記録媒体が収納された収納部における表示状態と記録されたデーターの記憶装置への送出が終了していない記録媒体が収納された収納部における表示状態とが異なるように表示される表示素子を上記規制手段として設けた
ことを特徴とする請求項１に記載の記録媒体チェンジャー。
【請求項４】
データーの読み出しが行われる記録媒体がドライブブロック又は搬送ブロックに保持されている状態において警告音の出力が可能とされた音声出力手段を設け、
該音声出力手段を上記規制手段として用いた
ことを特徴とする請求項１に記載の記録媒体チェンジャー。
【請求項５】
上記収納ブロックに、データーの読み出しが行われる記録媒体がドライブブロック又は搬送ブロックに保持されている状態において、当該データーの読み出しが行われる記録媒体が収納される収納部を有する収納ケースを保持用筐体にロックするロック手段を設け、
該ロック手段を上記規制手段として用いた
ことを特徴とする請求項１に記載の記録媒体チェンジャー。
【発明の詳細な説明】
【技術分野】
【０００１】
本発明は記録媒体チェンジャーについての技術分野に関する。詳しくは、データーの読み出しが行われる記録媒体が収納される収納部を有する収納ケースの保持用筐体からの取出を規制する規制手段を設けて、データーの読出作業における効率化を図る技術分野に関する。
【背景技術】
【０００２】
記録媒体、例えば、光ディスク等のディスク状記録媒体をそれぞれ収納する複数の収納部を有する収納ブロックを備え、各収納部から所望の記録媒体を取り出してドライブブロックに装着し、装着した記録媒体に対して情報信号の記録や再生を行い、又は、記録媒体に記録されたデーターを読み出して記憶装置への送出（アップロード）を行う記録媒体チェンジャーがある。
【０００３】
記録媒体に記録されたデーターを読み出して記憶装置へのアップロードを行う記録媒体チェンジャーにあっては、例えば、収納ブロックが筐体の内部に引き込まれたときに、搬送ブロックによって記録媒体が収納ブロックからドライブブロックまで搬送されて、該ドライブブロックに装着される。
【０００４】
記録媒体チェンジャーはコンピューター等の外部機器と接続されており、外部機器に設けられたハードディスクやメモリー等の記憶装置に、ドライブブロックで読み出されたデーターが順にアップロードされる。
【０００５】
アップロードされたデーターは、コンピューター等の外部機器において、例えば、編集データーとして用いられる。
【０００６】
データーのアップロードが完了した記録媒体は、搬送ブロックによってドライブブロックから取り出され収納ブロックまで搬送されて再び元の収納部に収納される。
【０００７】
このような記録媒体チェンジャーには、記録媒体を複数の単位で収納するマガジンと称される複数の収納ケースがこれらを保持する保持用筐体に対して各別に装填可能又は取出可能とされているタイプがある（例えば、特許文献１参照）。
【０００８】
【特許文献１】特開平８−１３８３５５号公報
【発明の開示】
【発明が解決しようとする課題】
【０００９】
ところが、上記のような複数の収納ケースを有する記録媒体チェンジャーにおいて、データーのアップロードが行われる記録媒体がドライブブロック又は搬送ブロックに保持されている状態において、当該データーの読み出しが行われる記録媒体が収納される予定の収納部を有する収納ケースが保持用筐体から取り出されてしまうと、データーのアップロードが完了した後に当該記録媒体が収納される収納ケースが存在しなくなり、記録媒体の収納を行うことができなくなってしまう。
【００１０】
従って、使用者は、改めて当該記録媒体が収納される収納ケースを保持用筐体に装填してデーターのアップロードが完了した記録媒体の収納部を確保する必要があるが、この場合には当該収納ケースの保持用筐体からの取出及び保持用筐体への再度の装填という無駄な作業が発生し、データーの読出（アップロード）作業に時間がかかり、作業効率が低下してしまう。
【００１１】
そこで、本発明記録媒体チェンジャーは、上記した問題点を克服し、データーの読出作業における効率化を図ることを課題とする。
【課題を解決するための手段】
【００１２】
本発明記録媒体チェンジャーは、上記した課題を解決するために、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを設け、上記収納ブロックに、少なくとも一方に開口された保持用筐体と、上記複数の収納部をそれぞれ有し保持用筐体に対して装填可能及び取出可能とされ該保持用筐体に装填されたときに所定の方向に配列される複数の収納ケースとを設け、データーの読み出しが行われる記録媒体がドライブブロック又は搬送ブロックに保持されている状態において、当該データーの読み出しが行われる記録媒体が収納される収納部を有する収納ケースの保持用筐体からの取出を規制する規制手段を設けたものである。
【００１３】
従って、本発明記録媒体チェンジャーにあっては、データーの読み出しが行われる記録媒体がドライブブロック又は搬送ブロックに保持されている状態において、当該データーの読み出しが行われる記録媒体が収納される収納部を有する収納ケースの保持用筐体からの取出が規制手段によって規制される。
【発明の効果】
【００１４】
本発明記録媒体チェンジャーは、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを備え、上記収納ブロックに、少なくとも一方に開口された保持用筐体と、上記複数の収納部をそれぞれ有し保持用筐体に対して装填可能及び取出可能とされ該保持用筐体に装填されたときに所定の方向に配列される複数の収納ケースとを設け、データーの読み出しが行われる記録媒体がドライブブロック又は搬送ブロックに保持されている状態において、当該データーの読み出しが行われる記録媒体が収納される収納部を有する収納ケースの保持用筐体からの取出を規制する規制手段を設けたことを特徴とする。
【００１５】
従って、使用者による当該収納ケースの保持用筐体からの過誤による取出を防止することができ、当該収納ケースの保持用筐体からの取出及び保持用筐体への再度の装填という無駄な作業が発生することがなく、データーのアップロード作業における作業効率の向上を図ることができる。
【００１６】
請求項２に記載した発明にあっては、データーの読み出しが行われる記録媒体がドライブブロック又は搬送ブロックに保持されている状態において警告光の出力が可能とされた光出力手段を設け、該光出力手段を上記規制手段として用いたので、収納ケースの保持用筐体からの過誤による取出を容易に防止することができる。
【００１７】
請求項３に記載した発明にあっては、複数の収納部にそれぞれ対応して配置され、少なくとも収納ブロックが筐体から引き出されたときに、記録されたデーターの記憶装置への送出が終了した記録媒体が収納された収納部における表示状態と記録されたデーターの記憶装置への送出が終了していない記録媒体が収納された収納部における表示状態とが異なるように表示される表示素子を上記規制手段として設けたので、別に専用の規制手段を設ける必要がなく、部品点数の削減による製造コストの低減を図ることができる。
【００１８】
請求項４に記載した発明にあっては、データーの読み出しが行われる記録媒体がドライブブロック又は搬送ブロックに保持されている状態において警告音の出力が可能とされた音声出力手段を設け、該音声出力手段を上記規制手段として用いたので、収納ケースの保持用筐体からの過誤による取出を容易に防止することができる。
【００１９】
請求項５に記載した発明にあっては、上記収納ブロックに、データーの読み出しが行われる記録媒体がドライブブロック又は搬送ブロックに保持されている状態において、当該データーの読み出しが行われる記録媒体が収納される収納部を有する収納ケースを保持用筐体にロックするロック手段を設け、該ロック手段を上記規制手段として用いたので、収納ケースの保持用筐体からの過誤による取出を確実に防止することができる。
【発明を実施するための最良の形態】
【００２０】
以下に、本発明記録媒体チェンジャーを実施するための最良の形態を添付図面に従って説明する。以下に示した最良の形態は、本発明記録媒体チェンジャーを記録媒体としてディスク状記録媒体を扱うディスクチェンジャーに適用したものである。
【００２１】
尚、本発明の適用範囲は、ディスクチェンジャーに限られることはなく、テープ状記録媒体、カード型の記録媒体等の各種の記録媒体を扱う記録媒体チェンジャーに広く適用することができる。
【００２２】
記録媒体チェンジャー１は、図１乃至図３に示すように、筐体２内に所要の各部が配置されて成り、筐体２内には収納ブロック３とドライブブロック４、４と搬送ブロック５が配置又は支持されている。
【００２３】
筐体２の前面には、図１に示すように、複数の操作釦２ａ、２ａ、・・・及び表示画面２ｂが配置されている。所定の操作釦２ａを操作することにより、例えば、収納ブロック３の筐体２に対する出し入れや筐体２の内部に配置された各ブロック等を動作させることができ、表示画面２ｂに現在の動作状態等が表示される。
【００２４】
収納ブロック３は筐体２に対して前方へ引出可能とされている（図２参照）。収納ブロック３は筐体２の内部に引き込まれた状態においては、図示しないロック機構によって筐体２にロックされ引出不能とされている。使用者が所定の操作釦（ロック解除釦）２ａを操作すると、筐体２に対する収納ブロック３のロックが解除され該収納ブロック３が筐体２から引出可能とされる。
【００２５】
収納ブロック３は、例えば、側方（右方）に開口された縦長の箱状に形成された保持用筐体６と、該保持用筐体６の前面部に取り付けられた蓋体７と、保持用筐体６に対して装填可能及び取出可能とされた複数の収納ケース８、８、・・・とを備えている。
【００２６】
保持用筐体６の天面部には前後に離隔して複数の素子配置孔６ａ、６ａ、・・・が形成されている（図４参照）。保持用筐体６の内面には図示しない複数の端子接続部が設けられている。
【００２７】
保持用筐体６の内部における上端部には、回路基板９が配置されている。回路基板９は保持用筐体６の右端部に配置され、上面９ａに複数の表示素子１０、１０、・・・が前後に離隔して搭載され、下面９ｂに、例えば、光センサーとして機能する複数のセンサー１１、１１、・・・が前後に離隔して搭載されている。表示素子１０、１０、・・・としては、例えば、発光ダイオード（ＬＥＤ：Light Emitting Diode）が用いられている。
【００２８】
表示素子１０、１０、・・・とセンサー１１、１１、・・・は同数が設けられ、収納ブロック３に収納可能な記録媒体１００、１００、・・・の数と同数とされている。表示素子１０、１０、・・・は回路基板９の右端部に搭載され、センサー１１、１１、・・・は回路基板９の右端寄りの位置において表示素子１０、１０、・・・の左方に搭載されている。
【００２９】
表示素子１０、１０、・・・はそれぞれ保持用筐体６の素子配置孔６ａ、６ａ、・・・に配置され、上端部がそれぞれ保持用筐体６の天面部から上方へ突出されている。従って、収納ブロック３が筐体２から引き出された状態において、使用者は表示素子１０、１０、・・・を視認することができる。
【００３０】
収納ケース８は、例えば、右方に開口され、上面部１２の内面側と下面部１３の内面側にそれぞれ前後に離隔して仕切８ａ、８ａ、・・・が設けられている。収納ケース８の外面にはそれぞれ図示しない複数の接続端子が設けられている。収納ケース８が保持用筐体６に装填された状態においては、各接続端子がそれぞれ保持用筐体６の端子接続部に接続される。
【００３１】
収納ケース８は接続端子が端子接続部に接続されることにより、後述する制御部に収納ケース８が保持用筐体６に装填されたことがデーターとして記憶される。
【００３２】
収納ケース８には上面部１２の右端寄りの位置に、前後に離隔して複数の検出用孔１２ａ、１２ａ、・・・又は右方に開口された複数の検出用切欠１２ａ、１２ａ、・・・が形成されている。
【００３３】
収納ケース８には複数の記録媒体１００、１００、・・・が前後に並ぶようにして収納される。記録媒体チェンジャー１には記録媒体１００、１００、・・・を収納するための収納ケース８、８、・・・が設けられているため、記録媒体１００、１００、・・・を収納ケース８単位で保持用筐体６に対して収納可能及び取出可能であり、記録媒体１００、１００、・・・を纏めて取り扱うことができ、記録媒体１００、１００、・・・の取扱いに関して使い勝手の向上を図ることができる。
【００３４】
記録媒体１００は、例えば、ディスクケースの内部に記録ディスクが回転可能に収納されて成り、仕切８ａ、８ａ間又は収納ケース８の側面部１４と仕切８ａの間に収納される。従って、仕切８ａ、８ａ間及び収納ケース８の側面部１４と仕切８ａの間の空間は、それぞれ記録媒体１００、１００、・・・が収納される収納部１５、１５、・・・として形成されている。
【００３５】
収納ケース８に形成された検出用孔（検出用切欠）１２ａ、１２ａ、・・・は、それぞれ収納部１５、１５、・・・の上方に対応して位置されている。
【００３６】
筐体２の内部には、図３に示すように、例えば、左方側に前後に延びるガイドレール１６、１７が配置され、右方側に前後に延びる搬送用レール１８が配置されている。ガイドレール１６、１７には収納ブロック３が前後方向へ移動自在に支持されている。
【００３７】
ドライブブロック４、４は、例えば、前後に並んで配置され、それぞれ右方に開口された媒体挿脱口４ａ、４ａを有している。ドライブブロック４は内部にディスクドライブ機構を備え、記録媒体１００に記録されたデーターを外部機器であるコンピューター等に設けられた記憶装置、例えば、ハードディスクやメモリー等に送出（アップロード）する機能を有する。
【００３８】
搬送ブロック５は搬送用レール１８に前後方向へ移動自在に支持され、内部に媒体取出機構を備えている。搬送ブロック５は収納ブロック３の収納部１５に収納された記録媒体１００を取り出して搬送しドライブブロック４に装着すると共にドライブブロック４から記録媒体１００を取り出して搬送し収納ブロック３の収納部１５に収納する機能を有する。
【００３９】
記録媒体チェンジャー１には全体の制御を司る制御部１９が設けられている（図５参照）。制御部１９はデーターベース１９ａを有し、該データーベース１９ａには、収納部１５、１５、・・・に対する記録媒体１００、１００、・・・の収納の有無や収納部１５、１５、・・・に収納された記録媒体１００、１００、・・・の種類が記憶されている。収納部１５、１５、・・・に収納された記録媒体１００、１００、・・・の種類は、データーのアップロードが完了した記録媒体１００であるか否かによって区別される。
【００４０】
収納部１５、１５、・・・に対する記録媒体１００、１００、・・・の収納の有無は、センサー１１、１１、・・・によって検出される。
【００４１】
制御部１９はインターフェース２０を介して操作釦２ａ、２ａ、・・・、表示画面２ｂ、収納ブロック３の回路基板９、ドライブブロック４、４及び搬送ブロック５に接続され、これらの各部を制御する。制御部１９はコンピューター等の外部機器２００に接続されており、ドライブブロック４、４によって読み出された記録媒体１００、１００、・・・に記録されたデーターが制御部１９によって外部機器２００の記憶装置、例えば、ハードディスクやメモリー等にアップロードされる。
【００４２】
以下に、記録媒体チェンジャー１における動作を図７に示すフローチャート図を参照して説明する。尚、図７には、使用者が行う動作は点線で囲み、記録媒体チェンジャー１の各部が行う動作は１点鎖線で囲むことにより区別して示している。
【００４３】
（Ｓ１）収納ブロック３が筐体２の内部に配置されている状態（図１及び図５参照）において、操作釦（ロック解除釦）２ａが操作される。
【００４４】
（Ｓ２）操作釦（ロック解除釦）２ａに対する操作によりロックが解除され、収納ブロック３の筐体２からの引出が可能な状態とされる。
【００４５】
（Ｓ３）ロックの解除により、表示素子１０、１０、・・・が点灯又は点滅可能とされる。
【００４６】
このとき点滅可能とされた表示素子１０に対応する収納部１５に収納されている記録媒体１００は、データーのアップロードが完了しているものである。点灯された表示素子１０に対応する収納部１５に収納されている記録媒体１００は、データーのアップロードが完了していないが、制御部１９によって収納部１５からの搬送ブロック５による取出指令が行われデーターのアップロードが行われる予定のものである。消灯状態が維持された表示素子１０に対応する収納部１５に収納されている記録媒体１００は、データーのアップロードが完了しておらず、制御部１９による収納部１５からの搬送ブロック５による取出指令も行われていないものである。
【００４７】
また、記録媒体１００が収納されていない収納部１５に対応した表示素子１０が点灯可能とされる場合があるが、この収納部１５はデーターのアップロードが行われる予定又はデーターのアップロードの実行中の記録媒体１００が収納されるものであり、この記録媒体１００は搬送ブロック５に保持されているかドライブブロック４に装着されている。
【００４８】
データーのアップロードが行われる記録媒体１００の収納が予定されていない収納部１５に対応した表示素子１０は、消灯が維持される。
【００４９】
（Ｓ４）筐体２から収納ブロック３が引き出される。筐体２から収納ブロック３が引き出されると、データーのアップロードが完了した記録媒体１００が収納されている収納部１５に対応する表示素子１０が点滅され、データーのアップロードは完了していないが制御部１９によって収納部１５からの搬送ブロック５による取出指令が行われデーターのアップロードが行われる予定の記録媒体１００が収納されている収納部１５に対応する表示素子１０が点灯され、データーのアップロードが行われる予定又はデーターのアップロードの実行中の記録媒体１００が収納される収納部１５に対応する表示素子１０が点灯される。
【００５０】
（Ｓ５）対応する全ての表示素子１０、１０、・・・が点滅されている収納ケース８及び対応する全ての表示素子１０、１０、・・・が消灯され何れの収納部１５、１５、・・・にも記録媒体１００、１００、・・・が収納されていない収納ケース８が、保持用筐体６から取出可能とされる。
【００５１】
対応する全ての表示素子１０、１０、・・・が点滅されている収納ケース８に収納されている記録媒体１００、１００、・・・は全てデーターのアップロードが完了しているため、保持用筐体６からの取り出しが可能であり、対応する全ての表示素子１０、１０、・・・が消灯され何れの収納部１５、１５、・・・にも記録媒体１００、１００、・・・が収納されていない収納ケース８は、各収納部１５、１５、・・・にデーターのアップロードの予定がある記録媒体１００、１００、・・・が収納される予定がないため、保持用筐体６からの取り出しが可能である。
【００５２】
このとき使用者は、表示素子１０、１０、・・・の表示状態により、データーのアップロードが完了した記録媒体１００、１００、・・・であるか否か、データーのアップロードが行われる記録媒体１００、１００、・・・が収納される収納部１５、１５、・・・であるか否かを容易に判別することができる。
【００５３】
（Ｓ５′）筐体２から収納ブロック３が引き出された状態においては、上記したように、データーのアップロードが行われる予定又はデーターのアップロードの実行中の記録媒体１００が収納される収納部１５に対応する表示素子１０は点灯されているが、この収納部１５に収納される予定の記録媒体１００は搬送ブロック５に保持されているかドライブブロック４に装着されている。従って、このような収納部１５を有する収納ケース８を保持用筐体６から取り出してしまうと、データーのアップロードが完了したときに当該記録媒体１００が収納される収納部１５を有する収納ケース８が存在しなくなってしまう。
【００５４】
そこで、記録媒体チェンジャー１にあっては、対応する表示素子１０、１０、・・・が一つでも点灯されている収納ケース８を保持用筐体６から取り出そうとしたときには、当該対応する表示素子１０、１０、・・・の表示状態を変化させて使用者に警告をするように設定されている。従って、これらの表示素子１０、１０、・・・は警告光を出力する光出力手段とされ、この光出力手段が保持用筐体６からの収納ケース８の取出を規制する規制手段として機能する。
【００５５】
規制手段としての機能は、例えば、制御部１９が収納ケース８の接続端子と保持用筐体６の端子接続部の接触が解除されたことを認識したときに実行され、接続端子と端子接続部の接触が解除された瞬間に表示素子１０、１０、・・・の表示状態が変化する。
【００５６】
規制手段として機能する表示素子１０、１０、・・・の具体的な表示状態の変化としては、例えば、当該収納ケース８に対応する全ての表示素子１０、１０、・・・が同時に点灯する、当該収納ケース８に対応する全ての表示素子１０、１０、・・・が順に又はランダムに点滅する、当該収納ケース８に対応する全ての表示素子１０、１０、・・・が同時に点滅する等の任意の状態を設定することが可能である。
【００５７】
使用者はこのような表示素子（規制手段）１０、１０、・・・の表示状態を視認することにより、当該収納ケース８が保持用筐体６から取り出すべきでないものであることを認識することができる。
【００５８】
尚、上記には、収納ケース８の接続端子と保持用筐体６の端子接続部の接触が解除された瞬間に表示素子１０、１０、・・・の表示状態が変化する例を示したが、例えば、収納ブロック３が筐体２から引き出され接続端子と端子接続部が接続されている状態において、一定時間内で、当該収納ケース８に対応する全ての表示素子１０、１０、・・・が同時に点灯する、順に又はランダムに点滅する、同時に点滅する等の任意の状態が設定されるように制御することも可能である。
【００５９】
（Ｓ６）取出可能な収納ケース８が存在しない場合には、消灯している表示素子１０に対応する収納部１５に対する記録媒体１００の収納、点滅している表示素子１０に対応する収納部１５に収納されている記録媒体１００の取出及び点滅している表示素子１０に対応する収納部１５に対する記録媒体１００の交換が可能とされる。
【００６０】
（Ｓ７）センサー１１、１１、・・・によって収納部１５、１５、・・・に対する記録媒体１００、１００、・・・の収納の有無が検出され、この検出結果は制御部１９に送出される。尚、収納ケース８、８、・・・が保持用筐体６に装填された状態においては、回路基板９に搭載されたセンサー１１、１１、・・・の真下に、それぞれ収納ケース８、８、・・・に形成された検出用孔（検出用切欠）１２ａ、１２ａ、・・・が位置され、センサー１１、１１、・・・による収納部１５、１５、・・・に対する記録媒体１００、１００、・・・の収納の有無検出は、センサー１１、１１、・・・から出射された検出光が検出用孔（検出用切欠）１２ａ、１２ａ、・・・を通過されることにより行われる。
【００６１】
（Ｓ８）点滅している表示素子１０に対応する収納部１５に収納されていた記録媒体１００が取り出された場合には、当該表示素子１０が消灯される。このとき消灯していた表示素子１０又は点滅していた表示素子１０に対応する収納部１５に対して記録媒体１００が収納されても、当該表示素子１０は消灯が維持される。
【００６２】
（Ｓ９）収納ブロック３が筐体２の内部に引き込まれて収納される。
【００６３】
（Ｓ１０）収納ブロック３が筐体２の内部に引き込まれると、収納ブロック３がロック機構によって筐体２にロックされる。このロックの解除は（Ｓ１）における操作釦（ロック解除釦）２ａを操作することにより行うことができる。尚、搬送ブロック５による収納ブロック３からの記録媒体１００の取出が行われているとき及び搬送ブロック５による収納ブロック３への記録媒体１００の収納が行われているときには、操作釦（ロック解除釦）２ａが操作されても筐体２に対する収納ブロック３のロックが解除されないように設定されている。
【００６４】
（Ｓ１１）収納ブロック３が筐体２の内部に引き込まれてロックされると、全ての表示素子１０、１０、・・・が消灯状態とされる。収納ブロック３が筐体２の内部に引き込まれたときには、外部から表示素子１０、１０、・・・の表示状態は視認不能であるため、表示素子１０、１０、・・・を不必要に点灯又は点滅させることがなく、省電力化を図ることができる。
【００６５】
（Ｓ１２）搬送ブロック５が動作されて制御部１９によって取出指令が行われた記録媒体１００が収納部１５から取り出され、取り出された記録媒体１００が搬送ブロック５によって搬送されてドライブブロック４に装着される。このとき制御部１９による取出指令は、使用者による操作釦２ａに対する操作に基づいて行われる。また、制御部１９による取出指令は、制御部１９のデーターベース１９ａに記憶された情報に基づいて、データーのアップロードが行われていない記録媒体１００、１００、・・・を順に取り出すように行われてもよい。
【００６６】
（Ｓ１３）ドライブブロック４に装着された記録媒体１００に記録されたデーターがデーターベース１９ａを介して外部機器２００の記憶装置にアップロードされる。ドライブブロック４においては、データーのアップロードに先立ち、記録媒体１００のファイル構造の読取が行われる。
【００６７】
データーのアップロードが完了すると、外部機器２００から制御部１９に対してデーターのアップロードが完了した記録媒体１００の排出指令が行われ、この排出指令に基づいて当該記録媒体１００が収納される収納部１５に対応する表示素子１０に制御部１９から点滅指令が行われる。
【００６８】
以上に記載した通り、記録媒体チェンジャー１にあっては、データーの読み出しが行われる記録媒体１００がドライブブロック４、４又は搬送ブロック５に保持されている状態において、当該データーの読み出しが行われる記録媒体１００が収納される収納部１５を有する収納ケース８の保持用筐体６からの取出を規制する規制手段（表示素子１０、１０、・・・）を設けているため、使用者による当該収納ケース８の保持用筐体６からの過誤による取出を防止することができ、当該収納ケース８の保持用筐体６からの取出及び保持用筐体６への再度の装填という無駄な作業が発生することがなく、データーのアップロード作業における作業効率の向上を図ることができる。
【００６９】
また、規制手段として表示素子１０、１０、・・・を用いているため、収納ケース８の保持用筐体６からの過誤による取出を容易に防止することができる。
【００７０】
さらに、規制手段として、データーのアップロードが完了した記録媒体１００か否かを使用者が判別するために予め設けられた表示素子１０、１０、・・・を用いているため、別に専用の規制手段を設ける必要がなく、部品点数の削減による製造コストの低減を図ることができる。
【００７１】
尚、上記には、予め設けられている表示素子１０、１０、・・・を規制手段として用いた例を示したが、表示素子１０、１０、・・・とは別に収納ケース８、８、・・・と同数の表示素子を設け、この表示素子を規制手段として用いることもできる。
【００７２】
上記には規制手段として光出力手段である表示素子１０、１０、・・・を用いた例を示したが、収納ブロック３又は筐体２に警告音を出力するスピーカー等の音声出力手段を設け、該音声出力手段を規制手段として用いることもできる。音声出力手段は制御部１９によって制御される。
【００７３】
規制手段として音声出力手段を用いた場合には、対応する表示素子１０、１０、・・・が一つでも点灯されている収納ケース８を保持用筐体６から取り出そうとしたときに、音声出力手段から警告音が出力される。
【００７４】
警告音としては、例えば、ブザーが鳴るようにしてもよく、また、取出ができない旨のメッセージが流れるようにしてもよい。
【００７５】
規制手段として音声出力手段を用いることにより、収納ケース８の保持用筐体６からの過誤による取出を容易に防止することができる。
【００７６】
また、収納ケース８、８、・・・が保持用筐体６に装填されたときに収納ケース８、８、・・・をそれぞれ保持用筐体６にロックするロック手段を設け、該ロック手段を規制手段として用いることもできる。ロック手段としては、例えば、プランジャーを用いたロック機構、電磁石を用いたロック機構、カム等により動作されるロック部材を用いたロック機構等の種々の構成を使用することが可能である。ロック手段は制御部１９によって制御される。
【００７７】
規制手段としてロック手段を用いた場合には、収納ブロック３を筐体２から引き出したときに、対応する表示素子１０、１０、・・・が一つでも点灯されている収納ケース８は保持用筐体６にロック手段によってロックされた状態とされており、それ以外の収納ケース８がロック手段によってロックされていない状態とされている。従って、使用者は、対応する表示素子１０、１０、・・・が一つでも点灯されている収納ケース８を保持用筐体６から取り出すことができない。
【００７８】
規制手段としてロック手段を用いることにより、収納ケース８の保持用筐体６からの過誤による取出を確実に防止することができる。
【００７９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８０】
【図１】図２乃至図７と共に本発明の最良の形態を示すものであり、本図は、記録媒体チェンジャーの概略斜視図である。
【図２】収納ブロックが筐体から引き出され一つの収納ケースが保持用筐体から取り出された状態を示す記録媒体チェンジャーの斜視図である。
【図３】記録媒体チェンジャーの内部構造を示す斜視図である。
【図４】記録媒体が収納された収納ケースが保持用筐体に装填された状態を示す概略断面図である。
【図５】記録媒体チェンジャーの構成を示すブロック図である。
【図６】搬送ブロックが筐体の内部に引き込まれた状態を示す斜視図である。
【図７】記録媒体チェンジャーに関する動作を示すフローチャート図である。
【符号の説明】
【００８１】
１…記録媒体チェンジャー、２…筐体、３…収納ブロック、４…ドライブブロック、５…搬送ブロック、６…保持用筐体、８…収納ケース、１０…表示素子（規制手段）、１５…収納部、１００…記録媒体
【図１】
2008262658.tif 000003
【図２】
2008262658.tif 000004
【図３】
2008262658.tif 000005
【図４】
2008262658.tif 000006
【図５】
2008262658.tif 000007
【図６】
2008262658.tif 000008
【図７】
2008262658.tif 000009